(57)【要約】【課題】カードの搬送時にカードが傷つくことを低減し得るカードの案内装置を提供すること。【解決手段】搬送されるカードを案内するカードの案内装置Ａであって、カードの搬送方向に直交する方向に対向配置された一対のローラ１を備え、各々のローラ１が、カードが載置される小径部１ｂと、カードの端縁位置を規定する側面１ｃ’を有する大径部１ｃと、を備えたことを特徴とする。【選択図】  図２
2004182426.tif 000002
【特許請求の範囲】
【請求項１】
搬送されるカードを案内するカードの案内装置であって、
前記カードの搬送方向に直交する方向に対向配置された一対のローラを備え、
各々の前記ローラが、
前記カードが載置される小径部と、
前記カードの端縁位置を規定する側面を有する大径部と、を備えたことを特徴とするカードの案内装置。
【請求項２】
前記一対のローラを、前記カードの搬送方向に所定の間隔だけ離隔して複数組設け、
前記一対のローラの各組の間に、前記カードの表面に当接する第２のローラを設けたことを特徴とする請求項２に記載のカードの案内装置。
【請求項３】
搬送されるカードを案内するローラを備えたカードの案内装置であって、
前記ローラが、
前記カードが載置される小径部と、
前記小径部の両端にそれぞれ設けられ、前記カードの端縁位置を規定する側面を有する大径部と、を備えたことを特徴とするカードの案内装置。
【発明の詳細な説明】
【０００１】
【発明の属する技術分野】
本発明は、カードプリンタ等に用いられ、搬送されるカードを案内するカードの案内装置に関する。
【０００２】
【従来の技術】
カードプリンタ等においては、カードを順次搬送して印刷処理が実行される。この際、カードを所定の搬送経路で安定して搬送するために、カードを案内する仕組みが必要となる。
【０００３】
図４（ａ）及び（ｂ）は、従来汎用されているカードの案内装置の例を示す図である。図４（ａ）の例は、断面がコ型の溝を有する案内部材１００を一対設けた例である。この例は、カードの端縁を案内部材１００の溝に挿入してカードを搬送することにより、カードが搬送経路から水平方向にずれることなく搬送せんとしたものである。
【０００４】
図４（ｂ）の例は、搬送されるカードの上下方向に一対の案内板１０１を設けた例である。この案内板１０１は、前後の端部が開くように曲折されており、カードが案内板１０１間に挿入され易くしており、カードが搬送経路から垂直方向にずれることなく搬送せんとしたものである。
【０００５】
更に、他の案内装置の例としては、カードが案内部へ侵入する際の衝撃等を低減させるものとして、例えば、特許文献１に記載のものも提案されている。
【０００６】
【特許文献１】特開２００２−１４５４７６号公報。
【０００７】
【発明が解決しようとする課題】
しかし、従来のカードの案内方式では、カードが搬送される際にカードが案内板等とこすれてカードが傷つく場合があった。
【０００８】
従って、本発明の目的は、カードの搬送時にカードが傷つくことを低減し得るカードの案内装置を提供することにある。
【０００９】
【課題を解決するための手段】
本発明によれば、搬送されるカードを案内するカードの案内装置であって、前記カードの搬送方向に直交する方向に対向配置された一対のローラを備え、各々の前記ローラが、前記カードが載置される小径部と、前記カードの端縁位置を規定する側面を有する大径部と、を備えたことを特徴とするカードの案内装置が提供される。
【００１０】
また、本発明においては、前記一対のローラを、前記カードの搬送方向に所定の間隔だけ離隔して複数組設け、前記一対のローラの各組の間に、前記カードの表面に当接する第２のローラを設けてもよい。
【００１１】
また、本発明によれば、搬送されるカードを案内するローラを備えたカードの案内装置であって、前記ローラが、前記カードが載置される小径部と、前記小径部の両端にそれぞれ設けられ、前記カードの端縁位置を規定する側面を有する大径部と、を備えたことを特徴とするカードの案内装置が提供される。
【００１２】
【発明の実施の形態】
以下、本発明の好適な実施形態について図面を参照して説明する。図１は、本発明の一実施形態に係るカード案内装置Ａを用いたカードの搬送装置の概略図、図２は、カード案内装置Ａの斜視図である。
【００１３】
カード案内装置Ａは、カードの前記カードの搬送方向に直交する方向に対向配置された一対のローラ１を備える。本実施形態の場合、この一対のローラ１をカードの搬送方向に、カードの寸法に応じて設定される所定の間隔だけ離隔して複数組（２組）設けており、ローラ１の数は合計４つである。また、一対のローラ１の各組の間には、カードの表面に当接するローラ２を設けている。本実施形態の場合、このローラ２は、一対のローラ１の各組の略中間に配設されている。
【００１４】
カード案内装置Ａの入口側及び出口側には、それぞれ駆動ローラ１１と従動ローラ１２とからなるローラ対がそれぞれ１組づつ設けられている。駆動ローラ１１は、図示しない駆動手段により回転駆動される。そのような駆動手段としては、各種モータ等の回転駆動源と、プーリ等の動力伝達機構とから構成することができる。
【００１５】
従動ローラ１２と駆動ローラ１１とは、その周面に圧接して設けられており、これによりニップ部を形成すると共に、従動ローラ１２は駆動ローラ１１の回転に伴って回転するように構成している。しかして、カードはこの駆動ローラ１１と従動ローラ１２とにより挟持されるようにして搬送されることになる。
【００１６】
カード案内装置Ａのローラ１は、断面円形状のローラであり、自由回転が可能なように図示しない軸受けによって軸部１ａが支持されている。また、また、本実施形態では各組の一対のローラ１は、互いに略同心上に配設されている。ローラ１は、軸部１ａと同心の小径部１ｂと大径部１ｃとを有する。図２及び図３（ａ）を参照してローラ１の構成を詳細に説明する。図３（ａ）は、カードの搬送方向から見たローラ１の構成を示す図である。
【００１７】
小径部１ｂは、カードの搬送経路側に突出しており、その周面には搬送されるカードが載置される。本実施形態の場合、カードの端縁部分がちょうど載置される程度の軸方向の長さを有している。大径部１ｃは、小径部１ｂの外側に設けられており、カードの端縁位置を規定する側面１ｃ’を有する。一対のローラ１の各側面１ｃ’の間隔は、略カードの幅に設定されている。尤も、カードの端縁位置を規定するにあたり、側面１ｃ’間の間隔は、必ずしもカードの幅とぴったり一致している必要はなく、搬送されるカードが水平方向にずれない程度にカードの姿勢を維持できる程度の幅で足りる。
【００１８】
小径部１ｂと大径部１ｃとは、樹脂材料等により一体に成形することが望ましく、また、小径部１ｂの周面と大径部１ｃの側面１ｃ’とは、表面が平滑化されていることが望ましい。
【００１９】
次に、カード案内装置Ａのローラ２は、断面円形状のローラであり、自由回転が可能なように図示しない軸受けによって軸部２ａが支持されており、カードの搬送方向に略直交する方向に配設されている。このローラ２は、搬送されるカードの垂直方向のずれを防止するためのローラであり、一方の組の一対のローラ１から他方の組の一対のローラ１へカードが搬送される際に、カードの姿勢を維持するためのものである。本実施形態では、ローラ２のローラ部分２ｂがカードの幅以上の長さを有しているが、これに限られず、搬送されるカードの姿勢が維持可能な範囲で、その幅を短くしてもよい。
【００２０】
係る構成からなるカード案内装置Ａでは、図１に示すようにカード案内装置Ａの右側の駆動ローラ１１及び従動ローラ１２によってカードがカード案内装置Ａへ搬送され、最初に図１の右側のローラ１の大径部１ｃの側面１ｃ’によってカードが適切な姿勢で案内され、小径部１ｂ上にカードが載置される。
【００２１】
この際、ローラ１は、自由回転が可能であるので、カードの搬送に伴って回転する。従って、カードが小径部１ｂの周面や大径部１ｃの側面１ｃ’と接触してもほとんどこすれたりすることがなく、カードの案内によってカードが傷つくことを最小限にすることができる。
【００２２】
カードの搬送が進むと、カードはローラ２によって垂直方向のずれ等が防止され、図１の左側の組のローラ１を経て、図１の左側の駆動ローラ１１及び従動ローラ１２に至ることになる。なお、ローラ２も自由回転が可能であるのでカードの搬送に伴って回転し、カードに傷がつくことを最小限にすることができる。
【００２３】
以上述べた通り、本実施形態のカード案内装置Ａによれば、カードの搬送時にカードが傷つくことを著しく低減することができる。
【００２４】
＜他の実施形態＞
上記実施形態では、一対のローラ１を一組として採用しているが、一対のローラ１を一つのローラとして構成することもできる。図３（ｂ）は、カードの搬送方向から見た他の実施形態に係るローラ１の構成を示す図である。図３（ｂ）の例では、小径部１ｂを略カードの幅と同じくらいの長さにして、小径部１ｂの両端に大径部１ｃを設けることにより、１個のローラとして構成したものである。この構成の場合、部品点数が少なくなるという利点がある。また、本実施形態でも、小径部１ｂとその両端の大径部１ｃとを一体に成形することが望ましい。
【００２５】
また、上記実施形態では、ローラ１を自由回転可能なフリーのローラとしたが、ローラ１を駆動手段により回転駆動するようにしてもよい。この場合、カード案内装置Ａ自体を搬送装置として用いることができる。
【００２６】
【発明の効果】
以上説明したように、本発明によれば、カードの搬送時にカードが傷つくことを低減することができる。
【図面の簡単な説明】
【図１】本発明の一実施形態に係るカード案内装置Ａを用いたカードの搬送装置の概略図である。
【図２】カード案内装置Ａの斜視図である。
【図３】（ａ）は、カードの搬送方向から見たローラ１の構成を示す図であり、（ｂ）は、カードの搬送方向から見た他の実施形態に係るローラ１の構成を示す図である。
【図４】（ａ）及び（ｂ）は、従来のカードの案内装置の例を示す図である。
【符号の説明】
Ａ  カード案内装置
１  ローラ
１ａ  軸部
１ｂ  小径部
１ｃ  大径部
２  ローラ
１１  駆動ローラ
１２  従動ローラ
【図１】
2004182426.tif 000003
【図２】
2004182426.tif 000004
【図３】
2004182426.tif 000005
【図４】
2004182426.tif 000006